(57)【要約】【課題】第一部材および第二部材の境界部における接着剤の漏れを抑制できる新規な構成の筐体および電子機器を得る。【解決手段】ベース筐体２は、下壁２ｂ（外壁）の一部を構成した第一部材２２Ｆと、Ｚ方向（第一方向）に第一部材２２Ｆと重なって位置され接着剤５０を介して第一部材２２Ｆと結合された第一部分２２Ｒ１と、Ｘ方向（第二方向）に第一部材２２Ｆとずれて位置された第二部分２２Ｒ２と、を有し、下壁２ｂの一部を構成した第二部材２２Ｒと、第一部材２２ＦのＸ方向の端部２２Ｆ１に設けられ、Ｚ方向に突出したボス部２４（第一位置決め部）と、第一部分２２Ｒ１に設けられ、ボス部２４と位置決めされる開口部２５（第二位置決め部）と、ボス部２４から端部２２Ｆ１（Ｙ方向）に沿って延びるとともに第一部材２２Ｆと第一部分２２Ｒ１との間に介在したリブ２６（第一リブ）と、を備える。【選択図】図１１
2020088310.tif 000002
【特許請求の範囲】
【請求項１】
電子機器の筐体であって、
当該筐体の外壁の一部を構成した第一部材と、
前記外壁と交差した第一方向に前記第一部材と重なって位置され接着剤を介して前記第一部材と結合された第一部分と、前記第一方向と交差した第二方向に前記第一部材とずれて位置された第二部分と、を有し、前記外壁の一部を構成した第二部材と、
前記第一部材の前記第二方向の端部に設けられ、前記第一方向に突出した第一位置決め部と、
前記第一部分に設けられ、前記第一位置決め部と位置決めされる第二位置決め部と、
前記第一位置決め部から前記端部に沿って延びるとともに前記第一部材と前記第一部分との間に介在した第一リブと、
を備えた、筐体。
【請求項２】
前記第一部分は、当該筐体の内側で前記第一部材と重なって位置され、
前記第二位置決め部は、前記第一部分を前記第一方向に貫通した開口部である、請求項１に記載の筐体。
【請求項３】
前記第一位置決め部は、前記開口部の前記第一部材とは反対側で前記第一部分に沿って延びた引掛部を有した、請求項２に記載の筐体。
【請求項４】
複数の前記第一位置決め部と、
前記第一位置決め部のそれぞれと位置決めされる複数の前記第二位置決め部と、
前記第一位置決め部のそれぞれから前記端部に沿って延びた複数の前記第一リブと、
を備え、
前記第一位置決め部と前記第一リブとが、前記端部に沿って交互に設けられた、請求項１〜３のうちいずれか一つに記載の筐体。
【請求項５】
前記複数の第一位置決め部のうちいずれか一つと前記第二位置決め部との間の第一隙間は、他の前記第一位置決め部と前記第二位置決め部との間の第二隙間よりも狭い、請求項４に記載の筐体。
【請求項６】
前記第一リブの前記第二方向および前記第二方向の反対方向のいずれか一方に位置され、前記端部に沿って延びるとともに前記第一部材と前記第一部分との間に介在した第二リブを備えた、請求項１〜５のうちいずれか一つに記載の筐体。
【請求項７】
前記第一位置決め部および前記第二位置決め部のうち少なくとも一方の前記第二方向の反対方向の縁部に、切欠部が設けられた、請求項１〜６のうちいずれか一つに記載の筐体。
【請求項８】
請求項１〜７のうちいずれか一つに記載の筐体と、
表示画面を有し、前記筐体に対して複数の回転中心回りに、前記表示画面が前記筐体と面する第一位置と、前記表示画面が前記筐体とは反対側を向く第二位置と、の間で回転可能に支持された第二筐体と、
前記第二筐体に収容され、当該第二筐体が前記第二位置に位置された状態で前記第一部材と前記第一方向に重なって位置されたアンテナと、
を備え、
前記第一部材は、合成樹脂材料によって構成された、電子機器。
【発明の詳細な説明】
【技術分野】
【０００１】
本発明は、筐体および電子機器に関する。
【背景技術】
【０００２】
従来、筐体の外壁を構成する第一部材と第二部材とが接着剤を介して互いに結合された構成の電子機器の筐体が知られている（例えば、特許文献１参照）。
【先行技術文献】
【特許文献】
【０００３】
【特許文献１】特開２０１７−２０４５１４号公報
【発明の概要】
【発明が解決しようとする課題】
【０００４】
この種の電子機器の筐体では、例えば、第一部材および第二部材の境界部における接着剤の漏れを抑制できる新規な構成が得られれば、有益である。
【０００５】
そこで、本発明の課題の一つは、第一部材および第二部材の境界部における接着剤の漏れを抑制できる新規な構成の筐体および電子機器を得ることである。
【課題を解決するための手段】
【０００６】
本発明の第一態様にかかる筐体は、電子機器の筐体であって、当該筐体の外壁の一部を構成した第一部材と、前記外壁と交差した第一方向に前記第一部材と重なって位置され接着剤を介して前記第一部材と結合された第一部分と、前記第一方向と交差した第二方向に前記第一部材とずれて位置された第二部分と、を有し、前記外壁の一部を構成した第二部材と、前記第一部材の前記第二方向の端部に設けられ、前記第一方向に突出した第一位置決め部と、前記第一部分に設けられ、前記第一位置決め部と位置決めされる第二位置決め部と、前記第一位置決め部から前記端部に沿って延びるとともに前記第一部材と前記第一部分との間に介在した第一リブと、を備える。
【０００７】
このような構成によれば、例えば、第一部材の端部に設けられた第一位置決め部および第一リブによって第二方向に広がる接着剤を堰き止めることができるため、第一部材および第二部材の境界部における接着剤の漏れが抑制されやすい。また、例えば、第一位置決め部および第一リブによって接着剤を第一部材の端部（境界部）のより近くまで塗布できるため、第一部材と第二部材との接着強度が高まりやすいという利点もある。
【０００８】
また、前記第一部分は、当該筐体の内側で前記第一部材と重なって位置され、前記第二位置決め部は、前記第一部分を前記第一方向に貫通した開口部である。このような構成によれば、例えば、第二位置決め部が凹部の場合と比べて、開口部を介して接着剤を筐体の内側の空間に逃がすことができるため、境界部における接着剤の漏れがより一層抑制されやすい。
【０００９】
また、前記第一位置決め部は、前記開口部の前記第一部材とは反対側で前記第一部分に沿って延びた引掛部を有している。このような構成によれば、例えば、引掛部と第一部分との当接によって、第一部材と第二部材との第一方向への相対移動を抑制できるため、第一部材および第二部材の端部（境界部）における接合強度を高めることができる。
【００１０】
また、複数の前記第一位置決め部と、前記第一位置決め部のそれぞれと位置決めされる複数の前記第二位置決め部と、前記第一位置決め部のそれぞれから前記端部に沿って延びた複数の前記第一リブと、を備え、前記第一位置決め部と前記第一リブとが、前記端部に沿って交互に設けられる。このような構成によれば、例えば、第一位置決め部と第一リブとが交互に配置された構成によって、境界部における接着剤の漏れを抑制可能な筐体が実現されうる。また、例えば、第一リブによって第二方向に堰き止められ端部に沿ってガイドされた接着剤を、第一位置決め部と第二位置決め部との間の隙間あるいは当該隙間を介して筐体の内側の空間に逃がすことができる。
【００１１】
また、前記複数の第一位置決め部のうちいずれか一つと前記第二位置決め部との間の第一隙間は、他の前記第一位置決め部と前記第二位置決め部との間の第二隙間よりも狭い。このような構成によれば、例えば、隙間の大きさがすべて同じ場合と比べて、第一位置決め部を第二位置決め部に挿入して位置決めを行う作業が、より容易に、より円滑に、あるいはより迅速に行われやすい。特に、遊びの小さい第一隙間によって、精度の高い第一位置決め部と第二位置決め部との位置決めを実現できる。また、例えば、遊びの大きい第二隙間を介して筐体の内側の空間あるいは当該第二隙間内により多くの接着剤を逃がすことができる。また、例えば、第二隙間内により多くの接着剤が留まることにより、第一部材と第二部材との接着強度をより高めることができる。
【００１２】
また、前記第一リブの前記第二方向および前記第二方向の反対方向のいずれか一方に位置され、前記端部に沿って延びるとともに前記第一部材と前記第一部分との間に介在した第二リブを備える。このような構成によれば、例えば、第二リブおよび第一リブによって第二方向に広がる接着剤を二重に堰き止めることができる。よって、例えば、境界部における接着剤の漏れがより一層抑制されやすい。
【００１３】
また、前記第一位置決め部および前記第二位置決め部のうち少なくとも一方の前記第二方向の反対方向の縁部に、切欠部が設けられる。このような構成によれば、例えば、切欠部を介して筐体の内側の空間あるいは切欠部内により多くの接着剤を逃がすことができるため、境界部における接着剤の漏れがより一層抑制されやすい。また、例えば、切欠部により多くの接着剤が留まることにより、第一部材と第二部材との接着強度をより高めることができる。
【００１４】
また、本発明の第二態様にかかる電子機器は、前記筐体と、表示画面を有し、前記筐体に対して複数の回転中心回りに、前記表示画面が前記筐体と面する第一位置と、前記表示画面が前記筐体とは反対側を向く第二位置と、の間で回転可能に支持された第二筐体と、前記第二筐体に収容され、当該第二筐体が前記第二位置に位置された状態で前記第一部材と前記第一方向に重なって位置されたアンテナと、を備え、前記第一部材は、合成樹脂材料によって構成される。このような構成によれば、例えば、前記第一態様にかかる筐体と略同様の作用効果を得ることができる。また、第一部材が合成樹脂材料によって構成されているため、例えば、第二筐体が第二位置で使用されるような場合にも、アンテナが第一部材を介して電波を送受信することができる。
【発明の効果】
【００１５】
本発明の上記態様によれば、第一部材および第二部材の境界部における接着剤の漏れを抑制できる新規な構成の筐体および電子機器を得ることができる。
【図面の簡単な説明】
【００１６】
【図１】図１は、実施形態の電子機器の正面側からの例示的な斜視図であって、ディスプレイ筐体が閉位置に位置された状態の図である。
【図２】図２は、実施形態の電子機器の正面側からの例示的な斜視図であって、ディスプレイ筐体が第一展開位置に位置された状態の図である。
【図３】図３は、実施形態の電子機器の背面側からの例示的な斜視図であって、ディスプレイ筐体が第二展開位置に位置された状態の図である。
【図４】図４は、実施形態の電子機器の背面側からの例示的な斜視図であって、ディスプレイ筐体が第三展開位置に位置された状態の図である。
【図５】図５は、図４のV−V断面図である。
【図６】図６は、実施形態の電子機器のボトムカバーの外面側からの例示的な斜視図である。
【図７】図７は、実施形態の電子機器のボトムカバーの内面側からの例示的な分解斜視図である。
【図８】図８は、図７の一部の拡大図であって、第一位置決め部が第二位置決め部に挿入された状態の図である。
【図９】図９は、図８のIX−IX断面図である。
【図１０】図１０は、図８の第一位置決め部が加締められた状態の図である。
【図１１】図１１は、図１０のXI−XI断面図である。
【図１２】図１２は、図１０のXII−XII断面図である。
【図１３】図１３は、図１０のXIII−XIII断面図である。
【図１４】図１４は、第１変形例の電子機器のボトムカバーにおける第一部材の一部の例示的な平面図である。
【図１５】図１５は、図１４の第一部材に第二部材を重ねたXV−XV断面図である。
【図１６】図１６は、第２変形例の電子機器のボトムカバーにおける第二部材の一部の例示的な平面図である。
【図１７】図１７は、図１６の第二部材に第一部材を重ねたXVII−XVII断面図である。
【発明を実施するための形態】
【００１７】
以下、本発明の例示的な実施形態および変形例が開示される。以下に示される実施形態および変形例の構成、ならびに当該構成によってもたらされる作用および効果は、一例である。本発明は、以下の実施形態および変形例に開示される構成以外によっても実現可能である。また、本発明によれば、構成によって得られる種々の効果（派生的な効果も含む）のうち少なくとも一つを得ることが可能である。
【００１８】
また、以下に開示される実施形態および変形例には、同様の構成要素が含まれる。よって、以下では、それら同様の構成要素には共通の符号が付与されるとともに、重複する説明が省略される。なお、本明細書では、序数は、部品や、部材、部位、位置、方向等を区別するためだけに用いられており、順番や優先度を示すものではない。
【００１９】
［実施形態］
図１は、電子機器１の正面側からの斜視図であって、ディスプレイ筐体３が閉位置Ｐ０に位置された状態の図である。図２は、電子機器１の正面側からの斜視図であって、ディスプレイ筐体３が第一展開位置Ｐ１に位置された状態の図である。なお、以下の説明では、便宜上、互いに直交する三方向が定義されている。Ｘ方向は、ベース筐体２の奥行（前後方向）に沿い、Ｙ方向は、ベース筐体２の幅（左右方向、長手方向）に沿い、Ｚ方向は、ベース筐体２の厚さ（上下方向）に沿う。Ｚ方向は、第一方向の一例であり、Ｘ方向は、第二方向の一例である。また、以下の説明では、Ｘ方向は後方、Ｘ方向の反対方向は前方とも称され、Ｙ方向は左方、Ｙ方向の反対方向は右方とも称され、Ｚ方向は上方、Ｚ方向の反対方向は下方とも称される場合がある。
【００２０】
図１，２に示されるように、電子機器１は、例えば、クラムシェル型（ノートブック型）のパーソナルコンピュータとして構成されており、ベース筐体２と、ディスプレイ筐体３と、を備えている。ベース筐体２には、キーボード４（入力装置）や、不図示の基板等が収容され、ディスプレイ筐体３には、アンテナユニット５や、ディスプレイユニット６等が収容されている。ベース筐体２は、筐体の一例であり、ディスプレイ筐体３は、第二筐体の一例である。なお、電子機器１は、この例には限定されず、例えば、デスクトップ型のパーソナルコンピュータや、映像表示装置、テレビジョン受像機、ゲーム機、映像表示制御装置、情報記憶装置等、アンテナユニット５を備えた種々の電子機器１として構成することができる。
【００２１】
ベース筐体２は、例えば、キーボード４が露出する上面２ａ１と、上面２ａ１とは反対側を向いた下面２ｂ１と、を有する。キーボード４は、上方から操作可能な状態に、ベース筐体２に支持されている。また、ベース筐体２内には、ＣＰＵ（Central  Processing  Unit）や、ＲＯＭ（Read  Only  Memory）、ＲＡＭ（Random  Access  Memory）等の複数の電子部品が実装された基板が設けられている。基板内の配線とこれら複数の電子部品とによって、電子機器１の制御回路の少なくとも一部が構成されている。
【００２２】
ディスプレイ筐体３は、例えば、ディスプレイユニット６の表示画面６ａが露出する前面３ａ１と、前面３ａ１とは反対側を向いた後面３ｂ１と、を有する。ディスプレイユニット６は、表示画面６ａが前方から視認可能な状態に、ディスプレイ筐体３に支持されている。また、前面３ａ１の一部および表示画面６ａは、タッチパネル９の透明部によって覆われている。
【００２３】
アンテナユニット５は、例えば、ディスプレイ筐体３の上端部３ｊの二つの隅部に設けられている。アンテナユニット５は、それぞれケーブルを介して、基板の通信チップと電気的に接続されている。アンテナユニット５は、ダイバーシティアンテナの一例である。本実施形態によれば、複数のアンテナユニット５で受信した同一の無線信号について、電波状況の優れたアンテナユニット５の信号を優先的に用いたり、受信した信号を合成してノイズを除去したりすることによって、通信の質や信頼性の向上を図ることができる。なお、アンテナユニット５は、この例には限定されず、例えば、片側の隅部のみに設けられてもよい。
【００２４】
図３は、電子機器１の背面側からの斜視図であって、ディスプレイ筐体３が第二展開位置Ｐ２に位置された状態の図である。図４は、電子機器１の背面側からの斜視図であって、ディスプレイ筐体３が第三展開位置Ｐ３に位置された状態の図である。本実施形態では、電子機器１は、図２に示されるノートブックモードや、図３に示されるテントモード（スタンドモード）、図４に示されるスレートモード（タブレットモード）等、複数のモードで使用可能に構成されている。
【００２５】
具体的には、ディスプレイ筐体３は、ベース筐体２にＹ方向に沿って延びる二つの回転中心Ａｘ１，Ａｘ２（回転軸）を有したヒンジ７を介して回転可能に支持されている。ディスプレイ筐体３は、ヒンジ７の回転中心Ａｘ１，Ａｘ２回りに回転することで、閉位置Ｐ０（図１）と、第一展開位置Ｐ１（図２）と、第二展開位置Ｐ２（図３）と、第三展開位置Ｐ３（図４）と、の間で移動可能である。
【００２６】
図１に示されるように、ディスプレイ筐体３が閉位置Ｐ０に位置された状態では、ベース筐体２の上面２ａ１およびキーボード４と、ディスプレイ筐体３の前面３ａ１およびディスプレイユニット６の表示画面６ａとが対向する。よって、閉位置Ｐ０では、キーボード４やタッチパネル９等は、ベース筐体２およびディスプレイ筐体３によって隠れるため、操作不能である。閉位置Ｐ０は、第一位置の一例である。また、閉位置Ｐ０は、初期位置や、第一折り畳み位置等とも称される。
【００２７】
図２に示されるように、ディスプレイ筐体３が第一展開位置Ｐ１に位置された状態では、上面２ａ１およびキーボード４と、前面３ａ１および表示画面６ａとが対向せず、上面２ａ１、キーボード４、前面３ａ１、および表示画面６ａが露出する。第一展開位置Ｐ１におけるディスプレイ筐体３のベース筐体２に対する回転角度は、例えば、９０°〜１７０°である。第一展開位置Ｐ１では、所謂ノートブックモードとして使用され、ベース筐体２が不図示の机や台等の載置部に載せられた状態でキーボード４によって操作が行われる。第一展開位置Ｐ１は、第一使用位置等とも称される。
【００２８】
図３に示されるように、ディスプレイ筐体３が第二展開位置Ｐ２に位置された状態では、上面２ａ１およびキーボード４と、前面３ａ１および表示画面６ａとが互いに反対側を向く。第二展開位置Ｐ２におけるディスプレイ筐体３のベース筐体２に対する回転角度は、例えば、２７０°〜３５０°である。第二展開位置Ｐ２では、所謂テントモード（スタンドモード）として使用され、ベース筐体２およびディスプレイ筐体３が不図示の載置部に立てられた状態でタッチパネル９によって操作が行われる。第二展開位置Ｐ２は、第二使用位置等とも称される。
【００２９】
また、図４に示されるように、ディスプレイ筐体３が第三展開位置Ｐ３に位置された状態においても、上面２ａ１およびキーボード４と、前面３ａ１および表示画面６ａとが互いに反対側を向く。第三展開位置Ｐ３におけるディスプレイ筐体３のベース筐体２に対する回転角度は、３６０°である。第三展開位置Ｐ３では、所謂スレートモード（タブレットモード）として使用され、ベース筐体２が不図示の載置部に載せられた状態あるいはベース筐体２が載置部から持ち上げられた状態でタッチパネル９によって操作が行われる。第三展開位置Ｐ３は、第二位置の一例である。
【００３０】
なお、第三展開位置Ｐ３は、この例には限定されず、例えば、互いに交差（直交）する二つの回転中心を有したヒンジによって、ベース筐体２の上面２ａ１側でディスプレイ筐体３の表示画面６ａが上面２ａ１とは反対側を向くように重ねられてもよい。第三展開位置Ｐ３は、第三使用位置や、第二折り畳み位置等とも称される。
【００３１】
図１〜４に示されるように、ディスプレイ筐体３は、例えば、一方向（図１ではＺ方向）に扁平な直方体状に構成されている。ディスプレイ筐体３は、前壁３ａや、後壁３ｂ、複数の側壁３ｃ〜３ｆ等を有している。前壁３ａは、前面３ａ１を含み、後壁３ｂは、後面３ｂ１を含む。前壁３ａは、四角形状の枠状に構成され、後壁３ｂは、四角形状の板状に構成されている。
【００３２】
図２に示されるように、側壁３ｃおよび側壁３ｅは、それぞれ、ディスプレイ筐体３の下端部３ｈおよび上端部３ｊを構成している。下端部３ｈは、ヒンジ７の回転中心Ａｘ１，Ａｘ２と隣接（近接）している。上端部３ｊは、下端部３ｈよりもヒンジ７の回転中心Ａｘ１，Ａｘ２と離間している。また、側壁３ｄおよび側壁３ｆは、それぞれ、ディスプレイ筐体３の左端部３ｉおよび右端部３ｋを構成している。
【００３３】
また、ディスプレイ筐体３は、複数の部品（分割体）が組み合わせられて構成されている。具体的には、ディスプレイ筐体３は、例えば、フロントカバー３１と、リヤカバー３２と、を有している。フロントカバー３１は、前壁３ａと、側壁３ｃ〜３ｆのそれぞれの一部と、を含む。リヤカバー３２は、後壁３ｂと、側壁３ｃ〜３ｆのそれぞれの一部と、を含む。フロントカバー３１とリヤカバー３２とは、爪やネジ等によって互いに結合されている。
【００３４】
図１〜４に示されるように、ベース筐体２は、例えば、Ｚ方向に扁平な直方体状の箱型に構成されている。ベース筐体２は、上壁２ａや、下壁２ｂ、前壁２ｃ、左壁２ｄ、後壁２ｅ、右壁２ｆ等の複数の壁部を有している。前壁２ｃ、左壁２ｄ、後壁２ｅ、および右壁２ｆは、側壁や、周壁、端壁等とも称される。
【００３５】
上壁２ａおよび下壁２ｂは、いずれも、Ｚ方向と直交する方向（ＸＹ平面）に沿って延びており、Ｚ方向に間隔をあけて互いに平行に設けられている。上壁２ａは、上面２ａ１を含み、下壁２ｂは、下面２ｂ１を含む。下面２ｂ１には、ベース筐体２を不図示の載置部から離間した状態に支持する複数の支持部２ｐ（図３参照）が設けられている。支持部２ｐは、脚やゴム脚等とも称される。下壁２ｂは、外壁の一例である。
【００３６】
前壁２ｃおよび後壁２ｅは、いずれも、Ｘ方向と直交する方向（ＹＺ平面）に沿って延びており、Ｘ方向に間隔をあけて互いに平行に設けられている。前壁２ｃは、上壁２ａおよび下壁２ｂのＸ方向の反対方向の端部の間に亘り、後壁２ｅは、上壁２ａおよび下壁２ｂのＸ方向の端部の間に亘っている。
【００３７】
前壁２ｃおよび後壁２ｅは、それぞれ、ベース筐体２の前端部２ｈおよび後端部２ｊを構成している。前端部２ｈは、ヒンジ７の回転中心Ａｘ１，Ａｘ２と離間している。後端部２ｊは、前端部２ｈよりもヒンジ７の回転中心Ａｘ１，Ａｘ２と隣接（近接）している。
【００３８】
左壁２ｄおよび右壁２ｆは、いずれも、Ｙ方向と直交する方向（ＸＺ平面）に沿って延びており、Ｙ方向に間隔をあけて互いに平行に設けられている。左壁２ｄは、上壁２ａおよび下壁２ｂのＹ方向の端部の間に亘り、右壁２ｆは、上壁２ａおよび下壁２ｂのＹ方向の反対方向の端部の間に亘っている。左壁２ｄおよび右壁２ｆは、それぞれ、ベース筐体２の左端部２ｉおよび右端部２ｋを構成している。
【００３９】
また、ベース筐体２は、複数の部品（分割体）が組み合わせられて構成されている。具体的には、ベース筐体２は、例えば、トップカバー２１と、ボトムカバー２２と、を有している。トップカバー２１は、上壁２ａと、前壁２ｃ、左壁２ｄ、後壁２ｅ、および右壁２ｆのそれぞれの一部と、を含む。ボトムカバー２２は、下壁２ｂと、前壁２ｃ、左壁２ｄ、後壁２ｅ、および右壁２ｆのそれぞれの一部と、を含む。トップカバー２１とボトムカバー２２とは、爪やネジ等によって互いに結合されている。
【００４０】
図５は、図４のV−V断面図である。図５に示されるように、ディスプレイ筐体３のフロントカバー３１およびリヤカバー３２は、それぞれ、第一部材３１Ａ，３２Ｔと、第二部材３１Ｂ，３２Ｕと、を有している。第一部材３１Ａ，３２Ｔと第二部材３１Ｂ，３２Ｕとは、互いに材料が異なる。第一部材３１Ａ，３２Ｔを構成する第一材料は、合成樹脂材料であり、第二部材３１Ｂ，３２Ｕを構成する第二材料は、マグネシウム合金等の金属材料である。第一部材３１Ａ，３２Ｔと第二部材３１Ｂ，３２Ｕとは、例えば、インサート成形（ハイブリット成形）等によって製造され、互いに接合（一体化）されている。
【００４１】
第一部材３１Ａ，３２Ｔは、アンテナユニット５のアンテナ５ａとディスプレイ筐体３の厚さ方向（図５ではＺ方向）に重なって位置されている。第一部材３１Ａ，３２Ｔは、合成樹脂材料によって構成されているので、アンテナ５ａは、第一部材３１Ａ，３２Ｔを介して電波を送受信することができる。アンテナ５ａは、例えば、無線ＬＡＮ（Local  Area  Network）用である。なお、アンテナ５ａは、無線ＬＡＮ用以外のものであってもよい。アンテナ５ａは、金属材料によって構成されている。
【００４２】
また、アンテナユニット５は、接続部材５ｂを有している。接続部材５ｂは、複数の折り曲げ部を有した板状に形成され、アンテナ５ａから延びている。接続部材５ｂは、金属材料によって構成されている。接続部材５ｂは、リヤカバー３２の第二部材３２Ｕの内面に接触した状態で、アルミテープ等によって第二部材３２Ｕに固定されている。これにより、アンテナ５ａと第二部材３２Ｕとが接続部材５ｂを介して電気的に接続され、第二部材３２Ｕがアンテナ５ａのグランド部材として機能する。
【００４３】
図５に示されるように、ベース筐体２のトップカバー２１およびボトムカバー２２についても、それぞれ、第一部材２１Ｆ，２２Ｆと、第二部材２１Ｒ，２２Ｒと、を有している。第一部材２１Ｆ，２２Ｆと第二部材２１Ｒ，２２Ｒとは、互いに材料が異なる。第一部材２１Ｆ，２２Ｆを構成する第一材料は、合成樹脂材料であり、第二部材２１Ｒ，２２Ｒを構成する第二材料は、マグネシウム合金等の金属材料である。第一部材２１Ｆと第二部材２１Ｒとは、例えば、インサート成形（ハイブリット成形）等によって製造され、互いに接合（一体化）されている。
【００４４】
第一部材２１Ｆ，２２Ｆと第二部材２１Ｒ，２２Ｒとは、それぞれ、Ｘ方向に並んでいる。言い換えると、第二部材２１Ｒ，２２Ｒは、第一部材２１Ｆ，２２Ｆよりも前端部２ｈから離れて位置されている。そして、本実施形態では、ディスプレイ筐体３が第三展開位置Ｐ３に位置された状態で、第一部材２１Ｆ，２２Ｆがアンテナ５ａとＺ方向に重なって位置されている。これにより、ディスプレイ筐体３が第三展開位置Ｐ３で使用されるような場合にも、アンテナ５ａは、合成樹脂材料で構成された第一部材２１Ｆ，２２Ｆを介して電波を送受信することができる。なお、図５では、便宜上、ボトムカバー２２の後述するボス部２４や、リブ２６、接着剤５０等は、図示省略されている。
【００４５】
次に、ボトムカバー２２についてより詳しく説明する。図６は、ボトムカバー２２の外面（下面２ｂ１）側からの斜視図である。図７は、ボトムカバー２２の内面側からの分解斜視図である。図８は、図７の一部の拡大図であって、ボス部２４が開口部２５に挿入された状態の図である。図９は、図８のIX−IX断面図である。
【００４６】
図６〜９に示されるように、ボトムカバー２２は、第一部材２２Ｆと第二部材２２Ｒとが部分的にＺ方向に重なり合った状態で一体化されている。すなわち、第二部材２２Ｒは、第一部材２２ＦとＺ方向に重なって位置された第一部分２２Ｒ１と、第一部材２２ＦとＸ方向にずれて位置された第二部分２２Ｒ２と、を有している。第一部分２２Ｒ１は、ベース筐体２の内側で第一部材２２Ｆと重なっている。
【００４７】
第一部分２２Ｒ１は、第二部材２２ＲのうちＸ方向の反対方向の端部（辺部）を構成している。第一部分２２Ｒ１には、Ｙ方向に互いに間隔をあけて複数の開口部２５（図７参照）が設けられている。開口部２５は、第一部分２２Ｒ１をＺ方向に貫通するとともに円形状の丸穴である。
【００４８】
開口部２５には、第一部材２２Ｆのボス部２４（図８，９参照）が挿入される。そして、本実施形態では、開口部２５の縁部とボス部２４の外周面との当接によって、第一部材２２Ｆの第二部材２２Ｒに対するＸＹ平面への移動が制限される。ボス部２４は、第一位置決め部の一例であり、開口部２５は、第二位置決め部の一例である。なお、第二の位置決め部は、この例には限定されず、例えば、ボス部２４に向けて開放され、ボス部２４を収容可能な凹部であってもよい。
【００４９】
図９に示されるように、第二部分２２Ｒ２は、第一部分２２Ｒ１に対してＺ方向の反対方向にオフセットして位置されている。言い換えると、第二部分２２Ｒ２と第一部分２２Ｒ１との間には、Ｚ方向に凹んだ凹部２２Ｒ３が設けられている。凹部２２Ｒ３には、第一部材２２ＦのＸ方向の端部２２Ｆ１が収容され、第二部分２２Ｒ２の外面（下面２ｂ１）と第一部材２２Ｆの外面（下面２ｂ１）とが、Ｘ方向に面一の状態で並んでいる。凹部２２Ｒ３は、段差等とも称される。
【００５０】
また、図７に示されるように、第二部分２２Ｒ２は、第二部材２２Ｒのうち第一部分２２Ｒ１以外の略全域を構成している。第二部分２２Ｒ２は、ＸＹ平面に沿って広がるとともに、Ｙ方向に横長な長方形状の板状である。第二部分２２Ｒ２の内面には、複数の部品が実装されている。
【００５１】
また、第二部分２２Ｒ２の外面、すなわち下面２ｂ１（図６参照）には、上述した支持部２ｐ（ゴム脚）のうちの二つが設けられている。支持部２ｐは、第二部分２２Ｒ２のうち後端部２ｊの二つの隅部に位置されている。第二部材２２Ｒは、例えば、マグネシウム合金等の金属材料によって構成されている。
【００５２】
第一部材２２Ｆは、第二部材２２ＲのＸ方向の反対方向に位置されている。第一部材２２Ｆは、第二部材２２Ｒとともにベース筐体２の下壁２ｂを構成している。また、第一部材２２Ｆは、ベース筐体２の前端部２ｈを構成している。
【００５３】
図７に示されるように、第一部材２２Ｆの内面には、Ｙ方向に互いに間隔をあけて複数のボス部２４が設けられている。ボス部２４は、第一部材２２ＦのＸ方向の端部２２Ｆ１に位置され、第一部材２２ＦからＺ方向に突出している。ボス部２４は、開口部２５の縁部に沿った円筒状に構成されている。なお、第一位置決め部は、ボス部２４には限定されず、例えば、円柱状のピン等であってもよい。
【００５４】
また、第一部材２２Ｆの内面には、複数のリブ２６が設けられている。リブ２６は、第一部材２２ＦからＺ方向に突出し、Ｙ方向に沿って延びている。本実施形態では、複数のボス部２４と複数のリブ２６とが、端部２２Ｆ１（Ｙ方向）に沿って交互に設けられている。
【００５５】
また、リブ２６は、Ｙ方向に隣接した二つのボス部２４の間に亘っている。すなわち、リブ２６は、ボス部２４の外周面と接続されている。なお、本実施形態では、ボス部２４の中心孔２４ａ（図９参照）内にもリブ２６が設けられ、ボス部２４の内周面と接続されている。リブ２６は、端部２２Ｆ１に沿って延びた一つのリブ２６によって構成されているとも言える。リブ２６は、第一リブの一例である。
【００５６】
また、第一部材２２Ｆの外面、すなわち下面２ｂ１（図６参照）には、上述した支持部２ｐ（ゴム脚）のうちの残りの二つが設けられている。支持部２ｐは、前端部２ｈの二つの隅部に位置されている。第一部材２２Ｆは、例えば、ＰＣ＋ＡＢＳ樹脂（ＡＢＳ樹脂とポリカーボネートとを有した所謂ポリマーアロイ）等の合成樹脂材料によって構成されている。
【００５７】
ここで、本実施形態では、第一部材２２Ｆと第二部材２２Ｒの第一部分２２Ｒ１とが、ベース筐体２のパームレスト部８（図２参照）と対応する位置に設けられている。パームレスト部８は、ディスプレイ筐体３が第一展開位置Ｐ１で使用される場合に、ユーザが手を載せる部分である。このため、第一部材２２Ｆおよび第一部分２２Ｒ１には、ユーザから荷重が入力される。そこで、本実施形態では、第一部材２２Ｆと第一部分２２Ｒ１とが後述する引掛部２４ｂ（図１１参照）および接着剤５０によって結合されることにより、第一部材２２Ｆと第二部材２２Ｒとの接合強度が高められている。
【００５８】
図１０は、図８のボス部２４が加締められた状態の図である。図１１は、図１０のXI−XI断面図である。図１２は、図１０のXII−XII断面図である。図１３は、図１０のXIII−XIII断面図である。図１０，１１に示されるように、本実施形態では、例えば、超音波ステーキング等によってボス部２４の先端が加締められることにより、引掛部２４ｂが形成されている。
【００５９】
引掛部２４ｂは、開口部２５の第一部材２２Ｆとは反対側で第一部分２２Ｒ１に沿って広がっている。すなわち、引掛部２４ｂは、少なくとも一部が第一部分２２Ｒ１とＺ方向に重なった状態に設けられている。引掛部２４ｂは、ボス部２４の挿入部分の直径よりも大きな円盤状に構成されている。引掛部２４ｂは、カシメ部や、結合部、フランジ部等とも称されうる。
【００６０】
また、第一部材２２Ｆと第一部分２２Ｒ１との間には、接着剤５０が設けられている。接着剤５０は、例えば、第一部分２２Ｒ１のうち開口部２５よりもＸ方向の反対方向の領域に塗布されている。言い換えると、ボス部２４およびリブ２６（図１２参照）は、接着剤５０よりもＸ方向に位置されている。
【００６１】
そして、本実施形態では、ボス部２４の加締め時（図１１参照）、あるいはボス部２４の加締め前の状態（図９参照）で第一部分２２Ｒ１と第一部材２２Ｆとが密着した場合に、Ｘ方向に沿って広がる接着剤５０がボス部２４およびリブ２６によって堰き止められるよう構成されている。これにより、第一部材２２Ｆおよび第二部材２２Ｒの境界部２３における接着剤５０の漏れが抑制されている。
【００６２】
また、本実施形態では、例えば、Ｙ方向の両端部に位置されたボス部２４と開口部２５との間の隙間Ｓ１（図１１参照）は、その他のボス部２４と開口部２５との間の隙間Ｓ２（図１３参照）よりも狭く設定されている。隙間Ｓ１，Ｓ２には、ボス部２４によってＸ方向に堰き止められＺ方向に向かう接着剤５０や、リブ２６によってＸ方向に堰き止められ端部２２Ｆ１（Ｙ方向）に沿ってガイドされた接着剤５０等が侵入する。隙間Ｓ１は、第一隙間の一例であり、隙間Ｓ２は、第二隙間の一例である。
【００６３】
以上のように、本実施形態では、ベース筐体２は、第一部材２２ＦのＸ方向の端部２２Ｆ１に設けられ、Ｚ方向に突出したボス部２４（第一位置決め部）と、第一部分２２Ｒ１に設けられ、ボス部２４と位置決めされる開口部２５（第二位置決め部）と、ボス部２４から端部２２Ｆ１（Ｙ方向）に沿って延びるとともに第一部材２２Ｆと第一部分２２Ｒ１との間に介在したリブ２６（第一リブ）と、を備える。
【００６４】
このような構成によれば、例えば、第一部材２２Ｆの端部２２Ｆ１に設けられたボス部２４およびリブ２６によってＸ方向に広がる接着剤５０を堰き止めることができるため、第一部材２２Ｆおよび第二部材２２Ｒの境界部２３における接着剤５０の漏れが抑制されやすい。また、例えば、ボス部２４およびリブ２６によって接着剤５０を端部２２Ｆ１（境界部２３）のより近くまで塗布できるため、第一部材２２Ｆと第二部材２２Ｒとの接着強度が高まりやすいという利点もある。
【００６５】
また、本実施形態では、第一部分２２Ｒ１は、ベース筐体２の内側で第一部材２２Ｆと重なって位置され、開口部２５は、第一部分２２Ｒ１をＺ方向に貫通している。このような構成によれば、例えば、開口部２５（第二位置決め部）が凹部の場合と比べて、開口部２５を介して接着剤５０をベース筐体２の内側の空間に逃がすことができるため、境界部２３における接着剤５０の漏れがより一層抑制されやすい。
【００６６】
また、本実施形態では、ボス部２４は、開口部２５の第一部材２２Ｆとは反対側で第一部分２２Ｒ１に沿って延びた引掛部２４ｂを有している。このような構成によれば、例えば、引掛部２４ｂと第一部分２２Ｒ１との当接によって、第一部材２２Ｆと第二部材２２ＲとのＺ方向への相対移動を抑制できるため、第一部材２２Ｆおよび第二部材２２Ｒの端部２２Ｆ１（境界部２３）における接合強度を高めることができる。
【００６７】
また、本実施形態では、ベース筐体２は、複数のボス部２４と、ボス部２４のそれぞれと位置決めされる複数の開口部２５と、ボス部２４のそれぞれから端部２２Ｆ１に沿って延びた複数のリブ２６と、を備え、ボス部２４とリブ２６とが、端部２２Ｆ１に沿って交互に設けられている。このような構成によれば、例えば、ボス部２４とリブ２６とが交互に配置された構成によって、境界部２３における接着剤５０の漏れを抑制可能なベース筐体２が実現されうる。また、例えば、リブ２６によってＸ方向に堰き止められ端部２２Ｆ１（Ｙ方向）に沿ってガイドされた接着剤５０を、ボス部２４と開口部２５との間の隙間Ｓ１，Ｓ２あるいは当該隙間Ｓ１，Ｓ２を介してベース筐体２の内側の空間に逃がすことができる。
【００６８】
また、本実施形態では、ボス部２４のうちいずれか一つと開口部２５との間の隙間Ｓ１（第一隙間）は、他のボス部２４と開口部２５との間の隙間Ｓ２（第二隙間）よりも狭い。このような構成によれば、例えば、隙間Ｓ１，Ｓ２の大きさがすべて同じ場合と比べて、ボス部２４を開口部２５に挿入して位置決めを行う作業が、より容易に、より円滑に、あるいはより迅速に行われやすい。特に、遊びの小さい隙間Ｓ１によって、精度の高いボス部２４と開口部２５との位置決めを実現できる。また、例えば、遊びの大きい隙間Ｓ２を介してベース筐体２の内側の空間あるいは当該隙間Ｓ２内により多くの接着剤５０を逃がすことができる。また、例えば、隙間Ｓ２内により多くの接着剤５０が留まることにより、第一部材２２Ｆと第二部材２２Ｒとの接着強度をより高めることができる。
【００６９】
また、本実施形態では、電子機器１は、表示画面６ａを有し、ベース筐体２に対して複数の回転中心Ａｘ１，Ａｘ２回りに、表示画面６ａがベース筐体２と面する閉位置Ｐ０（第一位置）と、表示画面６ａがベース筐体２とは反対側を向く第三展開位置Ｐ３（第二位置）と、の間で回転可能に支持されたディスプレイ筐体３（第二筐体）と、ディスプレイ筐体３に収容され、当該ディスプレイ筐体３が第三展開位置Ｐ３に位置された状態で第一部材２２ＦとＺ方向に重なって位置されたアンテナ５ａと、を備える。このような構成によれば、第一部材２２Ｆが合成樹脂材料によって構成されているため、例えば、ディスプレイ筐体３が第三展開位置Ｐ３で使用されるような場合にも、アンテナ５ａが第一部材２２Ｆを介して電波を送受信することができる。
【００７０】
［第１変形例］
図１４は、第１変形例の電子機器１Ａのボトムカバー２２における第一部材２２Ｆの一部の平面図である。図１５は、図１４の第一部材２２Ｆに第二部材２２Ｒを重ねたXV−XV断面図である。電子機器１Ａは、上記実施形態の電子機器１と同様の構成を備えている。よって、電子機器１Ａは、当該同様の構成に基づく上記実施形態と同様の作用および効果を得ることができる。
【００７１】
ただし、本変形例では、図１４，１５に示されるように、第一部材２２ＦにＸ方向に並んで複数のリブ２６，２７が設けられている点が、上記実施形態と相違している。リブ２７は、リブ２６のＸ方向の反対方向に位置され、端部２２Ｆ１（Ｙ方向）に沿って延びている。本変形例では、リブ２７は、ボス部２４の一部、すなわちＸ方向の反対方向の端部とＹ方向に重なって位置されている。
【００７２】
また、図１５に示されるように、リブ２７は、第一部材２２ＦからＺ方向に突出し、第一部材２２Ｆと第一部分２２Ｒ１との間に介在している。リブ２７のＺ方向の高さは、リブ２６のＺ方向の高さと略同じである。本変形例では、例えば、Ｘ方向に広がりリブ２７を乗り越えた接着剤５０は、リブ２６とリブ２７との間の空間に捕捉される。リブ２７は、第二リブの一例である。
【００７３】
このように、本変形例では、リブ２７が設けられているため、例えば、二つのリブ２６，２７によってＸ方向に広がる接着剤５０を二重に堰き止めることができる。よって、例えば、第一部材２２Ｆおよび第二部材２２Ｒの境界部２３における接着剤５０の漏れがより一層抑制されやすい。
【００７４】
なお、リブ２６，２７の数は、この例には限定されず、例えば、三つ以上のリブがＸ方向に並んで設けられてもよい。また、リブ２７は、Ｙ方向に間欠的に設けられてもよい。また、リブ２６，２７のうち少なくとも一方が、第一部分２２Ｒ１側、すなわちボス部２４とは反対側に設けられてもよい。また、リブ２７は、リブ２６およびボス部２４のＸ方向に設けられてもよい。
【００７５】
［第２変形例］
図１６は、第２変形例の電子機器１Ｂのボトムカバー２２における第二部材２２Ｒの一部の平面図である。図１７は、図１６の第二部材２２Ｒに第一部材２２Ｆを重ねたXVII−XVII断面図である。電子機器１Ｂは、上記実施形態の電子機器１と同様の構成を備えている。よって、電子機器１Ｂは、当該同様の構成に基づく上記実施形態と同様の作用および効果を得ることができる。
【００７６】
ただし、本変形例では、図１６，１７に示されるように、開口部２５のＸ方向の反対方向の縁部に切欠部２８が設けられている点が、上記実施形態と相違している。切欠部２８は、例えば、Ｚ方向の視線では、開口部２５に向けて開放された略Ｕ字状に構成されている。すなわち、切欠部２８は、開口部２５と連通している。また、図１７に示されるように、切欠部２８は、第一部分２２Ｒ１をＺ方向に貫通している。
【００７７】
このように、本変形例によれば、切欠部２８が設けられているため、例えば、当該切欠部２８を介してベース筐体２の内側の空間あるいは切欠部２８内により多くの接着剤５０を逃がすことができる。よって、例えば、第一部材２２Ｆおよび第二部材２２Ｒの境界部２３における接着剤５０の漏れがより抑制されやすい。また、切欠部２８（開口部２５）内により多くの接着剤５０が留まることにより、第一部材２２Ｆと第二部材２２Ｒとの接着強度をより高めることができる。
【００７８】
なお、切欠部２８は、この例には限定されず、例えば、ボス部２４の外周面のＸ方向の反対方向の縁部に設けられてもよいし、ボス部２４と開口部２５との双方に設けられてもよい。また、開口部２５の縁部あるいはボス部２４の縁部に、互いに間隔をあけて複数の切欠部２８が設けられてもよい。
【００７９】
以上、本発明の実施形態および変形例が例示されたが、上記実施形態および変形例は一例であって、発明の範囲を限定することは意図していない。上記実施形態および変形例は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【００８０】
例えば、第二部材の第二材料は、金属材料には限定されず、第一部材の第一材料とは異なる合成樹脂材料等であってもよい。
【符号の説明】
【００８１】
１，１Ａ，１Ｂ…電子機器、２…ベース筐体（筐体）、２ｂ…下壁（外壁）、２２Ｆ…第一部材、２２Ｆ１…端部、２２Ｒ…第二部材、２２Ｒ１…第一部分、２２Ｒ２…第二部分、２３…境界部、２４…ボス部（第一位置決め部）、２４ｂ…引掛部、２５…開口部（第二位置決め部）、２６…リブ（第一リブ）、２７…リブ（第二リブ）、２８…切欠部、５０…接着剤、Ａｘ１，Ａｘ２…回転中心、Ｐ０…閉位置（第一位置）、Ｐ３…第三展開位置（第二位置）、Ｓ１…隙間（第一隙間）、Ｓ２…隙間（第二隙間）、Ｘ…第二方向、Ｚ…第一方向。
【図１】
2020088310.tif 000003
【図２】
2020088310.tif 000004
【図３】
2020088310.tif 000005
【図４】
2020088310.tif 000006
【図５】
2020088310.tif 000007
【図６】
2020088310.tif 000008
【図７】
2020088310.tif 000009
【図８】
2020088310.tif 000010
【図９】
2020088310.tif 000011
【図１０】
2020088310.tif 000012
【図１１】
2020088310.tif 000013
【図１２】
2020088310.tif 000014
【図１３】
2020088310.tif 000015
【図１４】
2020088310.tif 000016
【図１５】
2020088310.tif 000017
【図１６】
2020088310.tif 000018
【図１７】
2020088310.tif 000019
【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
電子機器の筐体であって、
当該筐体の外壁の一部を構成した第一部材と、
前記外壁と交差した第一方向に前記第一部材と重なって位置され接着剤を介して前記第一部材と結合された第一部分と、前記第一方向と交差した第二方向に前記第一部材とずれて位置された第二部分と、を有し、前記外壁の一部を構成した第二部材と、
前記第一部材の前記第二方向の端部に設けられ、前記第一方向に突出した複数の第一位置決め部と、
前記第一部分に設けられ、前記第一位置決め部のそれぞれと位置決めされる複数の第二位置決め部と、
前記第一位置決め部のそれぞれから前記端部に沿って延びるとともに前記第一部材と前記第一部分との間に介在した第一リブと、
を備え、
前記第一位置決め部と前記第一リブとが、前記端部に沿って交互に設けられた、筐体。
【請求項２】
前記複数の第一位置決め部のうちいずれか一つと前記第二位置決め部との間の第一隙間は、他の前記第一位置決め部と前記第二位置決め部との間の第二隙間よりも狭い、請求項１に記載の筐体。
【請求項３】
電子機器の筐体であって、
当該筐体の外壁の一部を構成した第一部材と、
前記外壁と交差した第一方向に前記第一部材と重なって位置され接着剤を介して前記第一部材と結合された第一部分と、前記第一方向と交差した第二方向に前記第一部材とずれて位置された第二部分と、を有し、前記外壁の一部を構成した第二部材と、
前記第一部材の前記第二方向の端部に設けられ、前記第一方向に突出した第一位置決め部と、
前記第一部分に設けられ、前記第一位置決め部と位置決めされる第二位置決め部と、
前記第一位置決め部から前記端部に沿って延びるとともに前記第一部材と前記第一部分との間に介在した第一リブと、
前記第一リブの前記第二方向および前記第二方向の反対方向のいずれか一方に位置され、前記端部に沿って延びるとともに前記第一部材と前記第一部分との間に介在した第二リブと、
を備えた、筐体。
【請求項４】
電子機器の筐体であって、
当該筐体の外壁の一部を構成した第一部材と、
前記外壁と交差した第一方向に前記第一部材と重なって位置され接着剤を介して前記第一部材と結合された第一部分と、前記第一方向と交差した第二方向に前記第一部材とずれて位置された第二部分と、を有し、前記外壁の一部を構成した第二部材と、
前記第一部材の前記第二方向の端部に設けられ、前記第一方向に突出した第一位置決め部と、
前記第一部分に設けられ、前記第一位置決め部と位置決めされる第二位置決め部と、
前記第一位置決め部から前記端部に沿って延びるとともに前記第一部材と前記第一部分との間に介在した第一リブと、
を備え、
前記第一位置決め部および前記第二位置決め部のうち少なくとも一方の前記第二方向の反対方向の縁部に、切欠部が設けられた、筐体。
【請求項５】
前記第一部分は、当該筐体の内側で前記第一部材と重なって位置され、
前記第二位置決め部は、前記第一部分を前記第一方向に貫通した開口部である、請求項１〜４のうちいずれか一つに記載の筐体。
【請求項６】
前記第一位置決め部は、前記開口部の前記第一部材とは反対側で前記第一部分に沿って延びた引掛部を有した、請求項５に記載の筐体。
【請求項７】
請求項１〜６のうちいずれか一つに記載の筐体と、
表示画面を有し、前記筐体に対して複数の回転中心回りに、前記表示画面が前記筐体と面する第一位置と、前記表示画面が前記筐体とは反対側を向く第二位置と、の間で回転可能に支持された第二筐体と、
前記第二筐体に収容され、当該第二筐体が前記第二位置に位置された状態で前記第一部材と前記第一方向に重なって位置されたアンテナと、
を備え、
前記第一部材は、合成樹脂材料によって構成された、電子機器。
【請求項８】
電子機器の筐体であって、当該筐体の外壁の一部を構成した第一部材と、前記外壁と交差した第一方向に前記第一部材と重なって位置され接着剤を介して前記第一部材と結合された第一部分および前記第一方向と交差した第二方向に前記第一部材とずれて位置された第二部分を有し前記外壁の一部を構成した第二部材と、前記第一部材の前記第二方向の端部に設けられ前記第一方向に突出した第一位置決め部と、前記第一部分に設けられ前記第一位置決め部と位置決めされる第二位置決め部と、前記第一位置決め部から前記端部に沿って延びるとともに前記第一部材と前記第一部分との間に介在した第一リブと、を備えた筐体と、
表示画面を有し、前記筐体に対して複数の回転中心回りに、前記表示画面が前記筐体と面する第一位置と、前記表示画面が前記筐体とは反対側を向く第二位置と、の間で回転可能に支持された第二筐体と、
前記第二筐体に収容され、当該第二筐体が前記第二位置に位置された状態で前記第一部材と前記第一方向に重なって位置されたアンテナと、
を備え、
前記第一部材は、合成樹脂材料によって構成された、電子機器。
【手続補正２】
【補正対象書類名】明細書
【補正対象項目名】０００６
【補正方法】変更
【補正の内容】
【０００６】
本発明の第一態様にかかる筐体は、電子機器の筐体であって、当該筐体の外壁の一部を構成した第一部材と、前記外壁と交差した第一方向に前記第一部材と重なって位置され接着剤を介して前記第一部材と結合された第一部分と、前記第一方向と交差した第二方向に前記第一部材とずれて位置された第二部分と、を有し、前記外壁の一部を構成した第二部材と、前記第一部材の前記第二方向の端部に設けられ、前記第一方向に突出した複数の第一位置決め部と、前記第一部分に設けられ、前記第一位置決め部のそれぞれと位置決めされる複数の第二位置決め部と、前記第一位置決め部のそれぞれから前記端部に沿って延びるとともに前記第一部材と前記第一部分との間に介在した第一リブと、を備え、前記第一位置決め部と前記第一リブとが、前記端部に沿って交互に設けられる。
【手続補正３】
【補正対象書類名】明細書
【補正対象項目名】０００７
【補正方法】変更
【補正の内容】
【０００７】
このような構成によれば、例えば、第一部材の端部に設けられた第一位置決め部および第一リブによって第二方向に広がる接着剤を堰き止めることができるため、第一部材および第二部材の境界部における接着剤の漏れが抑制されやすい。また、例えば、第一位置決め部および第一リブによって接着剤を第一部材の端部（境界部）のより近くまで塗布できるため、第一部材と第二部材との接着強度が高まりやすいという利点もある。また、例えば、第一位置決め部と第一リブとが交互に配置された構成によって、境界部における接着剤の漏れを抑制可能な筐体が実現されうる。また、例えば、第一リブによって第二方向に堰き止められ端部に沿ってガイドされた接着剤を、第一位置決め部と第二位置決め部との間の隙間あるいは当該隙間を介して筐体の内側の空間に逃がすことができる。
【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】変更
【補正の内容】
【００１２】
また、本発明の第二態様にかかる筐体は、電子機器の筐体であって、当該筐体の外壁の一部を構成した第一部材と、前記外壁と交差した第一方向に前記第一部材と重なって位置され接着剤を介して前記第一部材と結合された第一部分と、前記第一方向と交差した第二方向に前記第一部材とずれて位置された第二部分と、を有し、前記外壁の一部を構成した第二部材と、前記第一部材の前記第二方向の端部に設けられ、前記第一方向に突出した第一位置決め部と、前記第一部分に設けられ、前記第一位置決め部と位置決めされる第二位置決め部と、前記第一位置決め部から前記端部に沿って延びるとともに前記第一部材と前記第一部分との間に介在した第一リブと、前記第一リブの前記第二方向および前記第二方向の反対方向のいずれか一方に位置され、前記端部に沿って延びるとともに前記第一部材と前記第一部分との間に介在した第二リブと、を備える。このような構成によれば、例えば、第二リブおよび第一リブによって第二方向に広がる接着剤を二重に堰き止めることができる。よって、例えば、境界部における接着剤の漏れがより一層抑制されやすい。
【手続補正６】
【補正対象書類名】明細書
【補正対象項目名】００１３
【補正方法】変更
【補正の内容】
【００１３】
また、本発明の第三態様にかかる筐体は、電子機器の筐体であって、当該筐体の外壁の一部を構成した第一部材と、前記外壁と交差した第一方向に前記第一部材と重なって位置され接着剤を介して前記第一部材と結合された第一部分と、前記第一方向と交差した第二方向に前記第一部材とずれて位置された第二部分と、を有し、前記外壁の一部を構成した第二部材と、前記第一部材の前記第二方向の端部に設けられ、前記第一方向に突出した第一位置決め部と、前記第一部分に設けられ、前記第一位置決め部と位置決めされる第二位置決め部と、前記第一位置決め部から前記端部に沿って延びるとともに前記第一部材と前記第一部分との間に介在した第一リブと、を備え、前記第一位置決め部および前記第二位置決め部のうち少なくとも一方の前記第二方向の反対方向の縁部に、切欠部が設けられる。このような構成によれば、例えば、切欠部を介して筐体の内側の空間あるいは切欠部内により多くの接着剤を逃がすことができるため、境界部における接着剤の漏れがより一層抑制されやすい。また、例えば、切欠部により多くの接着剤が留まることにより、第一部材と第二部材との接着強度をより高めることができる。
【手続補正７】
【補正対象書類名】明細書
【補正対象項目名】００１４
【補正方法】変更
【補正の内容】
【００１４】
また、本発明の第四態様にかかる電子機器は、前記筐体と、表示画面を有し、前記筐体に対して複数の回転中心回りに、前記表示画面が前記筐体と面する第一位置と、前記表示画面が前記筐体とは反対側を向く第二位置と、の間で回転可能に支持された第二筐体と、前記第二筐体に収容され、当該第二筐体が前記第二位置に位置された状態で前記第一部材と前記第一方向に重なって位置されたアンテナと、を備え、前記第一部材は、合成樹脂材料によって構成される。このような構成によれば、例えば、前記第一態様にかかる筐体と略同様の作用効果を得ることができる。また、第一部材が合成樹脂材料によって構成されているため、例えば、第二筐体が第二位置で使用されるような場合にも、アンテナが第一部材を介して電波を送受信することができる。
また、本発明の第五態様にかかる電子機器は、電子機器の筐体であって、当該筐体の外壁の一部を構成した第一部材と、前記外壁と交差した第一方向に前記第一部材と重なって位置され接着剤を介して前記第一部材と結合された第一部分および前記第一方向と交差した第二方向に前記第一部材とずれて位置された第二部分を有し前記外壁の一部を構成した第二部材と、前記第一部材の前記第二方向の端部に設けられ前記第一方向に突出した第一位置決め部と、前記第一部分に設けられ前記第一位置決め部と位置決めされる第二位置決め部と、前記第一位置決め部から前記端部に沿って延びるとともに前記第一部材と前記第一部分との間に介在した第一リブと、を備えた筐体と、表示画面を有し、前記筐体に対して複数の回転中心回りに、前記表示画面が前記筐体と面する第一位置と、前記表示画面が前記筐体とは反対側を向く第二位置と、の間で回転可能に支持された第二筐体と、前記第二筐体に収容され、当該第二筐体が前記第二位置に位置された状態で前記第一部材と前記第一方向に重なって位置されたアンテナと、を備え、前記第一部材は、合成樹脂材料によって構成される。